(57)【要約】【課題】  ユーザが端末を変更した場合にも、好適な表示用データを提供することが可能な表示用データ提供装置を提供する。【解決手段】  表示用データ提供装置２０は、端末１０から、ユーザＩＤ及び端末ＩＤを含む表示用データ要求を取得する表示用データ要求取得部２１と、ユーザＩＤと、当該ユーザＩＤに対して出力された最新の表示用データと、を関連付けて記憶する表示用データ記憶部２６と、取得されたユーザＩＤに対応する最新の表示用データを、取得された端末ＩＤに対応する端末１０に出力する表示用データ出力部２９と、を備える。【選択図】図１
2009020713.tif 000002
【特許請求の範囲】
【請求項１】
端末に表示用データを出力して表示させる表示用データ提供装置であって、
端末から、ユーザＩＤ及び端末ＩＤを含む表示用データ要求を取得する表示用データ要求取得部と、
前記ユーザＩＤと、当該ユーザＩＤに対して出力された最新の表示用データと、を関連付けて記憶する表示用データ記憶部と、
取得された前記ユーザＩＤに対応する前記最新の表示用データを、取得された前記端末ＩＤに対応する前記端末に出力する表示用データ出力部と、
を備えることを特徴とする表示用データ提供装置。
【請求項２】
前記端末における表示内容に対応する表示用データを前記ユーザＩＤとともに取得する表示用データ取得部と、
取得された表示用データ及び前記ユーザＩＤに基づいて、前記表示用データ記憶部を管理する表示用データ管理部と、
をさらに備えることを特徴とする請求項１に記載の表示用データ提供装置。
【請求項３】
前記表示用データを前記端末に表示させるための表示用プログラムを当該表示用プログラムのＩＤと関連付けて記憶する表示用プログラム記憶部と、
前記端末ＩＤごとに、表示画面サイズと、表示形式と、前記表示用プログラムのＩＤと、を関連付けて記憶する端末情報記憶部と、
をさらに備え、
前記表示用データ出力部は、取得された前記端末ＩＤに応じて、前記表示用データを前記表示画面サイズ及び前記表示形式に基づいて修正し、修正された前記表示用データと前記端末ＩＤに対応する前記表示用プログラムとを出力する
ことを特徴とする請求項１又は請求項２に記載の表示用データ提供装置。
【請求項４】
端末に表示用データを出力して表示させるためにコンピュータを、
端末から、ユーザＩＤ及び端末ＩＤを含む表示用データ要求を取得する表示用データ要求取得部、及び、
記憶部に互いに関連付けて記憶された前記ユーザＩＤと、当該ユーザＩＤに対して出力された最新の表示用データと、に基づいて、取得された前記ユーザＩＤに対応する前記最新の表示用データを、取得された前記端末ＩＤに対応する前記端末に出力する表示用データ出力部、
として機能させることを特徴とする表示用データ提供プログラム。
【発明の詳細な説明】
【技術分野】
【０００１】
本発明は、携帯電話、ＰＤＡ、パーソナルコンピュータ等の端末に表示用データを提供する表示用データ提供装置及び表示用データ提供プログラムに関する。
【背景技術】
【０００２】
近年、サーバが、インターネット、イントラネット等のネットワークを介して接続された携帯電話、ＰＤＡ、パーソナルコンピュータ等の端末に表示用データを提供するようになってきている。特許文献１に記載の情報提供装置は、端末登録時に当該端末における表示仕様を記憶し、データ配信時に端末ＩＤに応じた表示仕様で表示用データを提供する。
【０００３】
【特許文献１】特開２００６−３２３４６６号公報
【発明の開示】
【発明が解決しようとする課題】
【０００４】
しかし、従来の情報提供装置は、ユーザが同一端末を使用し続けることを前提としており、ユーザが端末を変更した場合にうまく対応することができないという問題を有している。
【０００５】
本発明は、前記した問題を解決すべく創案されたものであり、ユーザが端末を変更した場合にも、好適な表示用データを提供することが可能な表示用データ提供装置及び表示用データ提供プログラムを提供することを目的とする。
【課題を解決するための手段】
【０００６】
前記目的を達成するため、本発明は、端末に表示用データを出力して表示させる表示用データ提供装置であって、端末から、ユーザＩＤ及び端末ＩＤを含む表示用データ要求を取得する表示用データ要求取得部と、前記ユーザＩＤと、当該ユーザＩＤに対して出力された最新の表示用データと、を関連付けて記憶する表示用データ記憶部と、取得された前記ユーザＩＤに対応する前記最新の表示用データを、取得された前記端末ＩＤに対応する前記端末に出力する表示用データ出力部と、を備えることを特徴とする。
【発明の効果】
【０００７】
本発明によれば、ユーザが端末を変更した場合にも、好適な表示用データを提供することができる。
【発明を実施するための最良の形態】
【０００８】
以下、本発明の実施形態について、適宜図面を参照しながら説明する。同様の部分には同一符号を付し、重複する説明を省略する。
【０００９】
図１は、本発明の第一の実施形態に係る表示用データ提供装置を備えた表示用データ提供システムを示すブロック図である。図１に示すように、表示用データ提供システムは、複数の端末１０と、これらの端末１０とネットワークＮＷを介して接続された表示用データ提供装置２０と、を備えている。
【００１０】
端末１０は、制御部１１と、通信部１２と、入力部１３と、表示部１４と、を備える。制御部１１は、通信部１２を介して表示用データ提供装置２０と通信し、表示用データ提供装置２０から受信した表示用データを表示装置１４に表示させる。また、制御部１１は、ユーザによる入力部１３からの入力に基づいて、表示用データを変更する。また、端末１０の制御部１１は、例えば表示用データに対するユーザの操作終了時に、表示用データ及びユーザＩＤを、通信部１２を介して表示用データ提供装置２０に出力する。
【００１１】
表示用データ提供装置２０は、機能部として、表示用データ要求取得部２１と、ユーザ認証部２２と、ユーザ情報記憶部２３と、表示用データ取得部２４と、表示用データ管理部２５と、表示用データ記憶部２６と、表示用プログラム記憶部２７と、端末情報記憶部２８と、表示用データ出力部２９と、を備える。
【００１２】
表示用データ要求取得部２１は、端末１０から、ユーザＩＤ、パスワード及び端末ＩＤを含む表示用データ要求を取得する。取得されたユーザＩＤ及びパスワードは、ユーザ認証部２２に出力される。また、取得されたユーザＩＤ及び端末ＩＤは、表示用データ出力部２９に出力される。
ユーザ認証部２２は、端末１０から出力されたユーザＩＤ及びパスワードに基づいて、ユーザ情報記憶部２３を参照してユーザを認証する。ユーザ認証部２２は、認証結果を端末１０及び表示用データ出力部２９に出力する。
【００１３】
ユーザ情報記憶部２３は、図２に示すように、ユーザごとに、ユーザＩＤと、パスワードと、当該ユーザが使用可能な端末の端末ＩＤと、を関連付けて記憶する。
表示用データ取得部２４は、端末１０から出力された、当該端末１０における表示内容に対応する表示用データ及びユーザＩＤを取得する。取得された表示用データ及びユーザＩＤは、表示用データ管理部２５に出力される。
【００１４】
表示用データ管理部２５は、取得された表示用データ及びユーザＩＤに基づいて、表示用データ記憶部２６を管理する。本実施形態において、表示用データ管理部２５は、取得された表示用データ及びユーザＩＤとこれらを記憶させる時刻とを関連付けて表示用データ記憶部２６に記憶させる。
表示用データ記憶部２６は、ユーザＩＤごとに、記憶した時刻と、表示用データと、を関連付けて記憶する。図３は、表示用データ記憶部に記憶されたデータの一例を示す図である。この例では、表示用データは、ユーザに警報を通知するためのデータであり、日時、警報種別、内容及び状態を含む。
【００１５】
表示用プログラム記憶部２７は、表示用データを端末１０に表示させるための表示用プログラムを表示用プログラムのＩＤと関連付けて記憶する。
端末情報記憶部２８は、図４に示すように、端末ＩＤごとに、表示画面サイズと、表示形式と、表示用プログラムのＩＤと、を関連付けて記憶する。
【００１６】
表示用データ出力部２９は、取得された前記ユーザＩＤに対応する最新の表示用データを、取得された端末ＩＤに対応する端末に出力する。本実施形態では、表示用データ出力部２９は、取得された端末ＩＤに応じて、表示用データを表示画面サイズ及び表示形式に基づいて修正し、修正された表示用データと端末ＩＤに対応する表示用プログラムとを出力する。
【００１７】
＜動作例＞
続いて、本発明の実施形態に係る表示用データ提供装置２０の動作例について、図５ないし図７を参照して説明する。図５は、本発明の実施形態に係る表示用データ提供装置の動作例について説明するためのフローチャートである。図６は、端末におけるログイン画面の例を示す図である。図７は、端末における表示画面の例を示す図である。
【００１８】
まず、ユーザが端末１０の表示部１４に表示されたログイン画面３１を見ながらユーザＩＤ３１及びパスワード３２を入力し、ＯＫボタン３４を操作すると、表示用データ提供装置２０の表示用データ要求取得部２１が、ユーザＩＤ及びパスワードを取得する（ステップＳ１）。
続いて、ユーザ認証部２２が、取得されたユーザＩＤ及びパスワードと、ユーザ情報記憶部２３内の情報とを比較することによって、ユーザを認証し、ログイン可能であるか否かを判定する（ステップＳ２）。
ログイン可能である場合には（ステップＳ２でＹｅｓ）、ユーザ認証部２２が、ログイン画面３１の端末種類３３をアクティブ状態とする。ユーザがログイン画面３１を見ながら端末ＩＤを含む端末種類３３を入力し、ＯＫボタンを操作すると、表示用データ要求取得部２１が、端末種類を取得する（ステップＳ３）。
続いて、表示用データ提供装置２０が、取得されたユーザＩＤ及び端末ＩＤと、ユーザ情報記憶部２３内の情報とを比較することによって、当該端末を利用可能であるか否かを判定する（ステップＳ４）。
端末が利用可能でない場合には（ステップＳ４でＮｏ）、表示用データ提供装置２０が、端末１０の表示部１４に登録用画面を表示させる。ユーザが登録用画面を用いて当該端末１０を登録する旨を入力した場合には（ステップＳ５でＹｅｓ）、表示用データ提供装置２０は、当該端末１０を登録し、ユーザ情報記憶部２３等に記憶させる（ステップＳ６）。
ステップＳ４でＹｅｓの場合、又は、ステップＳ６の実行後、表示用データ出力部２９は、取得されたユーザＩＤに対応する最新の表示用データを、取得された端末ＩＤに対応する端末１０に出力する（ステップＳ８）。本実施形態では、表示用データ出力部２９は、取得された端末ＩＤに応じて、表示用データを表示画面サイズ及び表示形式に基づいて修正し、修正された表示用データと端末ＩＤに対応する表示用プログラムとを出力する。
表示用データ及び表示用プログラムを受信した端末１０の制御部１１は、表示用プログラムを用いて表示用データを表示部１４に表示させる（図７参照）。
【００１９】
かかる構成によると、表示用データ提供装置２０は、ユーザが使用する端末１０を変更した場合でも、ユーザが直前に使用した端末１０における表示用データを変更された端末１０に出力し、変更された端末１０の表示部１４に表示させることができる。
また、各端末１０の表示画面サイズ、表示形式に応じて表示用データを修正するので、変更された端末１０に好適な状態で表示用データを表示させることができる。
【００２０】
以上、本発明の実施形態について説明したが、本発明は前記実施形態に限定されず、本発明の要旨を逸脱しない範囲で適宜設計変更可能である。
例えば、表示用プログラムは、表示用データ提供装置２０ではなく端末１０に記憶されている構成であってもよい。
また、本発明は、コンピュータを前記した表示用データ提供装置として機能させるプログラムとして具現化することも可能である。
【図面の簡単な説明】
【００２１】
【図１】本発明の第一の実施形態に係る表示用データ提供装置を備えた表示用データ提供システムを示すブロック図である。
【図２】ユーザ情報記憶部に記憶されたデータの一例を示す図である。
【図３】表示用データ記憶部に記憶されたデータの一例を示す図である。
【図４】端末情報記憶部に記憶されたデータの一例を示す図である。
【図５】本発明の実施形態に係る表示用データ提供装置の動作例について説明するためのフローチャートである。
【図６】端末におけるログイン画面の例を示す図である。
【図７】端末における表示画面の例を示す図である。
【符号の説明】
【００２２】
１０    端末
２０    表示用データ提供装置
２１    表示用データ要求取得部
２３    ユーザ情報記憶部
２４    表示用データ取得部
２５    表示用データ管理部
２６    表示用データ記憶部
２７    表示用プログラム記憶部
２８    端末情報記憶部
２９    表示用データ出力部
【図１】
2009020713.tif 000003
【図２】
2009020713.tif 000004
【図３】
2009020713.tif 000005
【図４】
2009020713.tif 000006
【図５】
2009020713.tif 000007
【図６】
2009020713.tif 000008
【図７】
2009020713.tif 000009